(57)【特許請求の範囲】
【請求項１】
トップシートとバックシートとこれらの間に挟み込まれた吸収性コアとから構成される第１吸収体と、
上記第１吸収体が肌面側に取付けられたシート状のおむつカバー本体と、
自由端部に前後方向に延びる弾性部材が伸長状態で接合された左右の立ち上がりフラップとが設けられて、
上記おむつカバー本体の肌面側に、上記左右の立ち上がりフラップの基端部の全体が第１吸収体の左右側縁部よりも外方に離間されてそれぞれ取付けられ、この離間距離は、第１吸収体の上に載置可能な第２吸収体の横幅よりも広く設定されていることを特徴とする使い捨ておむつカバー。
【請求項２】
上記立ち上がりフラップの自由端部の離間距離は、少なくとも２９ｃｍであり、この立ち上がりフラップの立ち上がり高さは、３〜１０ｃｍである請求項１記載の使い捨ておむつカバー。
【請求項３】
上記第１吸収体のトップシートとバックシートの左右側縁部にはサイドフラップが形成され、このサイドフラップ内に、前後方向に延びる弾性部材が伸長状態で接合されている請求項１または請求項２記載の使い捨ておむつカバー。
【請求項４】
上記立ち上がりフラップは、通気・撥水性の不織布で構成され、この不織布は、ＪＩＳ−Ｐ８１４３の剛軟度が１０〜８０ｍｍである請求項１〜請求項３のいずれかに記載の使い捨ておむつカバー。
【請求項５】
上記おむつカバー本体は、通気・撥水性を有する１枚の不織布シートで構成され、この不織布シートは、横方向の引っ張り強度が３０Ｎ／５ｃｍ以上、ＪＩＳ−Ｌ−１０９２の耐水度が３．０〜１００．０ｃｍ、ＪＩＳ−Ｚ−０２０８の透湿度が３０００ｇ／ｍ2・２４ｈ以上である請求項１〜請求項４のいずれかに記載の使い捨ておむつカバー。
【発明の詳細な説明】
【０００１】
【発明の属する技術分野】
本発明は、おむつとしても使用可能な低コストの使い捨ておむつカバーに関する。
【０００２】
【従来の技術】
従来、使い捨ておむつとしては、おむつ本体の肌面側に吸収体が取付けられ、この吸収体の左右部分に立ち上がりフラップがそれぞれ取付けられたものが提案されている（特開２０００−２５４１６９号公報参照）。
【０００３】
このような使い捨ておむつは、少量の排尿時でもおむつ全体を取り替える必要があるので、おむつ使用者にとって経済的な負担が大きい。
【０００４】
このため、使い捨ておむつの吸収体の上に尿パッド（吸収体）を載置して、少量の排尿時には、尿パッドのみを交換することが考えられる。
【０００５】
【発明が解決しようとする課題】
しかしながら、立ち上がりフラップが吸収体の左右部分に取付けられていることから、この立ち上がりフラップの間に、横幅が広くて吸収性に優れた尿パッドを収納することが困難であるので、安価な尿パッドを使用できない場合が多いという問題があった。
【０００６】
本発明は、上記従来の問題を解決するためになされたもので、おむつとしても使用可能な低コストの使い捨ておむつカバーを提供することを目的とするものである。
【０００７】
【課題を解決するための手段】
上記課題を解決するために、本発明は、第１吸収体を肌面側に取付けたシート状のおむつカバー本体と、自由端部に前後方向に延びる弾性部材が伸長状態で接合された左右の立ち上がりフラップとが設けられて、上記おむつカバー本体の肌面側に、上記左右の立ち上がりフラップの基端部が第１吸収体の左右側縁部よりも外方に離間されてそれぞれ取付けられ、この離間距離は、第１吸収体の上に載置可能な第２吸収体の横幅よりも広く設定されていることを特徴とする使い捨ておむつカバーを提供するものである。
【０００８】
本発明によれば、おむつカバー本体に取付けた第１吸収体の左右側縁部よりも外方に離間して取付けた立ち上がりフラップの離間距離を、第１吸収体の上に載置可能な第２吸収体の横幅よりも広く設定しているから、この立ち上がりフラップの間に、横幅が広い第２吸収体（交換可能な尿パッド）を収納することができる。
【０００９】
上記立ち上がりフラップの自由端部の離間距離は、少なくとも２９ｃｍであり、この立ち上がりフラップの立ち上がり高さは、３〜１０ｃｍであるのが好ましい。
【００１０】
上記第１吸収体のトップシートとバックシートの左右側縁部にはサイドフラップが形成され、このサイドフラップ内に、前後方向に延びる弾性部材が伸長状態で接合されているのが好ましい。
【００１１】
上記立ち上がりフラップは、通気・撥水性の不織布で構成され、この不織布は、ＪＩＳ−Ｐ８１４３の剛軟度が１０〜８０ｍｍであるのが好ましい。
【００１２】
上記おむつカバー本体は、通気・撥水性を有する１枚の不織布シートで構成され、この不織布シートは、横方向の引っ張り強度が３０Ｎ／５ｃｍ以上、ＪＩＳ−Ｌ−１０９２の耐水度が３．０〜１００．０ｃｍ、ＪＩＳ−Ｚ−０２０８の透湿度が３０００ｇ／ｍ2・２４ｈ以上であるのが好ましい。
【００１３】
【発明の実施の形態】
以下、本発明の実施の形態を図面を参照して詳細に説明する。
【００１４】
図１および図４に示すように、使い捨ておむつカバー１は、基本的には、おむつカバー本体２と第１吸収体３と左右一対の立ち上がりフラップ４とで構成されている。
【００１５】
上記おむつカバー本体２は、使い捨ておむつカバー１の外形状に形成されていて、前腹部Ｐと後背部Ｑとの間の股部Ｒの両側にはレッグ開口部Ｓが形成されている。
【００１６】
このおむつカバー本体２は、耐水圧が高く、横方向の強度の高い通気・撥水性を有する１枚の不織布シートが好ましい。また、横方向の引っ張り強度が３０Ｎ／５ｃｍ以上で、ＪＩＳ−Ｌ−１０９２の耐水度が３．０〜１００．０ｃｍ、ＪＩＳ−Ｚ−０２０８の透湿度が３０００ｇ／ｍ2・２４ｈ以上のものであることが好ましい。
【００１７】
上記耐水度は、おむつカバー本体２から漏れ出した尿等が着用者の衣料、寝具等に至らないようにすることが望まれるので、３．０ｃｍ未満では好ましくない。また、不透水性のフィルム素材であれば耐水度は上がるが、透湿性がないので好ましくない。したがって、透湿度が上記範囲内に入り、かつ耐水度も保持できる強度のある不織布が最適である。
【００１８】
これらを満足する不織布としては、ポリエステル繊維のスパンボンド不織布、目付の厚いスパンボンド・メルトブローン・スパンボンド（ＳＭＳ）不織布などが好適である。スパンボンド不織布では、耐水度を高めるために、必要部分を部分的に撥水処理することが好ましい。ＳＭＳ不織布では、メルトブローン不織布素材として、ポリプロピレンのような疎水性の高い素材を複合化するような場合には、耐水度を高めるための撥水処理は特に必要としないので、より好ましい。
【００１９】
上記おむつカバー本体２は、必ずしも１枚の不織布シートである必要はなく、撥水性の合成樹脂繊維製不織布又は不透液性の合成樹脂製フィルム並びにこれらの併用体で成形された外面側シートと、親水性の合成樹脂繊維製不織布又は透液性の合成樹脂製フィルムで成形された肌面側シートとを接合した積層シートであっても良い。この場合には、後述するように、第１吸収体３を肌面側シートに接合する他、外面側シートと肌面側シートとの間に接合するようにしても良い。
【００２０】
上記おむつカバー本体２の前腹部Ｐにはフロンタルテープ５が取付けられると共に、後背部Ｑの両側には、図２に示すように、使用時にフロンタルテープ５に貼付けて、おむつカバー本体２を立体的に組み立てるためのファスニングテープ６がそれぞれ取付けられている。なお、フロンタルテープ５とファスニングテープ６は、着脱可能な機械式ファスナーであっても良い。
【００２１】
このおむつカバー本体２の前後端部にはウエストバンド７がそれぞれ取付けられ、このウエストバンド７には、ウエスト部の締め付けを行う弾性部材（具体的に図示せず）がおむつカバー本体２の横幅方向に伸長状態で接合されている。
【００２２】
上記第１吸収体３は、使い捨ておむつカバー１の前後方向に延在するトップシート３ａとバックシート３ｂと吸収性コア３ｃとで構成されて、トップシート３ａは、透水性の不織布や穴あきフィルムなどが用いられ、バックシート３ｂは、不透水性のフィルム、通気性を有する不透水性のフィルムなどが用いられる。
【００２３】
上記吸収性コア３ｃは、綿状パルプ、高分子吸収材、ティッシュペーパー、透水性不織布、ホットメルト接着剤、熱融着繊維などで偏平に成形されて、図例は長方形であるが、砂時計型であっても良い。
【００２４】
この吸収性コア３ｃは、トップシート３ａとバックシート３ｂとの間に挟み込んだ状態で、トップシート３ａとバックシート３ｂとを接合することにより第１吸収体３が完成する。
【００２５】
そして、第１吸収体３は、使い捨ておむつカバー１の横幅方向のほぼ中央部で前後方向に延在するように配置して、上記各ウエストバンド７を覆うように、バックシート３ｂが使い捨ておむつカバー１の肌面側に接合されるようになる。
【００２６】
上記第１吸収体３のトップシート３ａとバックシート３ｂの左右側縁部には、図３に示すように、外側に延出するサイドフラップ３ｄがそれぞれ形成され、このサイドフラップ３ｄ内に、前後方向に延びる弾性部材９が伸長状態で接合され、この弾性部材９の収縮力によりサイドフラップ３ｄで立体ギャザーが自然に形成されるようになる。上記弾性部材９は、ポリウレタン糸、ポリウレタンフィルム、天然ゴム、発泡ウレタンなどが利用でき、１本使用に限らず複数本使用であっても良い。なお、このサイドフラップ３ｄの伸縮性ギャザーは、吸収性コア３ｃが着用者の鼠けい部（ももの付け根あたり）に沿いやすくする点で好ましいが、必ずしも必要ではない。
【００２７】
上記左右の立ち上がりフラップ４は、その基端部４ａが第１吸収体３の左右側縁部よりも外方に離間された状態でおむつカバー本体２の肌面側にそれぞれ接合されて、自由端部４ｂには前後方向に延びる弾性部材８が伸長状態で接合されている。この弾性部材８は、上記サイドフラップ３の弾性部材９と同じ素材を利用できる。
【００２８】
この各立ち上がりフラップ４は、自由端部４ｂを含む前後端部４ｃ，４ｄがおむつカバー本体２の前後端部にそれぞれ接合されることにより、前後端部４ｃ，４ｄの間が弾性部材８の収縮力により立ち上がりフラップ４で立体ギャザーが自然に形成されるようになる（図３（ａ）参照）。
【００２９】
上記各立ち上がりフラップ４の自由端部４ａの離間距離Ａは、第１吸収体３の上に載置可能な第２吸収体（尿パッド）１０（図３（ａ）参照）の横幅Ｂよりも広く設定されている。
【００３０】
具体的には、第２吸収体（尿パッド）１０として市販のフラットタイプの尿パッドを用いる場合には、第２吸収体（尿パッド）１０を無理なく収納できるように、その離間距離Ａは少なくとも２９ｃｍが必要である。また、着用者の股下部分で違和感が無いように左右の脚部Ｓの間の距離Ｃは３５ｃｍ以下が好ましい。なお、離間距離Ａよりも幅広の第２吸収体１０を収納して使用することは可能であるが、この場合には、左右の立ち上がりフラップ４が幅方向に膨らんで立ち上がり高さＴが低下するようになる。
【００３１】
そこで、立ち上がりフラップ４は通常の使い捨ておむつの立ち上がりフラップに比べて大きな立ち上がり高さＴであるのが好ましく、第２吸収体（尿パッド）１０として市販のフラットタイプの尿パッドを用いる場合には、立ち上がりフラップ４の立ち上がり高さＴは、３〜１０ｃｍが好ましい。
【００３２】
即ち、３ｃｍ未満では第２吸収体１０を収納した状態での立ち上がり高さとしては低いものとなって尿等の横幅方向への遮断が不充分であり、逆に１０ｃｍを越えると、使い捨ておむつカバー１の装着時に、第１吸収体３または第２吸収体１０の表面部分を覆う面積が大きくなって、尿時の吸収を妨げることになる。
【００３３】
上記立ち上がりフラップ４は、第２吸収体１０に吸収された尿等をそこで遮断する必要があり、かつおむつ着用者のレッグ部に常時密着状態であることから、その素材として不織布を用い、通気性ではあるが撥水性として尿等を遮断できるように構成することが好ましく、遮断壁としての適度な硬さとレッグ部への硬すぎない適度な柔らかさが必要であり、ＪＩＳ−Ｐ８１４３での剛軟度は、１０〜８０ｍｍとなるようなものが好ましい。
【００３４】
具体的には、ポリプロピレン単独繊維、またはポリプロピレンを芯、ポリエチレンを鞘成分とする複合繊維からなるスパンボンド不織布、スパンボンド・メルトブローン・スパンボンド（ＳＭＳ）不織布などが使用される。ポリプロピレンは疎水性の高い素材であり、その繊維からなるメルトブローン不織布を複合状態で併用する場合には、メルトブローン不織布部分での撥水性、不透液性の遮断壁となるが、疎水性素材からなる通常の不織布を用いる場合には、その一方の面側、第１吸収体３または第２吸収体１０と対面する内面側に、少なくとも撥水剤処理をし、通気・撥水性とすることが好ましい。
【００３５】
また、立ち上がりフラップ４の他方の面側は、おむつ着用者のレッグ部と常時密着状態となるので、むしろ吸収性素材面となっている方が好ましく、その意味で、この面側での撥水剤処理は必須ではない。
【００３６】
上記のように使い捨ておむつカバー１を構成すれば、おむつカバー本体２に取付けた第１吸収体３の左右側縁部よりも外方に離間して取付けた立ち上がりフラップ４の離間距離Ａを、第１吸収体３の上に載置可能な第２吸収体１０の横幅Ｂよりも広く設定しているから、この立ち上がりフラップ４の間に、横幅Ｂが広くて吸収性に優れた第２吸収体（尿パッド）１０を収納することができるので、安価な尿パッドを使用でき、交換作業も容易に行える。
【００３７】
また、第１吸収体３の上に交換可能な第２吸収体１０を載置しているから、仮に第２吸収体１０から尿等が漏れても第１吸収体３で吸収されて、おむつカバー本体２の外まで尿等が漏れるおそれがない。
【００３８】
さらに、おむつカバー本体２は、通気・撥水性を有する１枚の不織布シートで構成することが可能であるから、その構成材料が少なくなって安価に製造でき、低コストになって使用者の経済負担を低減できる。
【００３９】
さらにまた、第１吸収体３の上に第２吸収体１０を載置しないで、第１吸収体３のみであっても、使い捨ておむつカバー１を使い捨ておむつとしても使用できる。
【００４０】
上記実施形態では、第１吸収体３の吸収性コア３ｃをトップシート３ａとバックシート３ｂとで上下から挟み込んだ状態で接合したが、図５（ａ）に示すように、バックシート３ｂの両側縁部が弾性部材９を包み込むように折り返して接合し、その折り返し端３ｅの上面にトップシート３ａを接合したり、図５（ｂ）に示すように、吸収性コア３ｃの左右端下部に弾性部材９が位置するようにバックシート３ｂに接合し、このバックシート３ｂの両側縁部が吸収性コア３ｃを包み込むように折り返して、この折り返し端３ｅの上面にトップシート３ａを接合したりすることもできる。また、図５（ｃ）に示すように、上記立ち上がりフラップ４をＺ折りタイプとすることもできる。
【００４１】
【発明の効果】
以上の説明からも明らかなように、本発明は、おむつカバー本体に取付けた第１吸収体の左右側縁部よりも外方に離間して取付けた立ち上がりフラップの離間距離を、第１吸収体の上に載置可能な第２吸収体の横幅よりも広く設定しているから、この立ち上がりフラップの間に、横幅が広くて吸収性に優れた第２吸収体（尿パッド）を収納することができるので、安価な尿パッドを使用でき、交換作業も容易に行える。
【００４２】
また、第１吸収体の上に交換可能な第２吸収体を載置しているから、仮に第２吸収体から尿等が漏れても第１吸収体で吸収されて、おむつカバー本体の外まで尿等が漏れるおそれがない。
【００４３】
さらに、おむつカバー本体は、通気・撥水性を有する１枚の不織布シートで構成することが可能であるから、その構成材料が少なくなって安価に製造でき、低コストになって使用者の経済負担を低減できる。また、おむつカバー本体を構成する不織布シートの材質を好ましく選定することにより、快適な使用感を持たせることができるとともに、繰り返しの使用に耐えて、この点からも使用者の経済負担を低減できる。
【００４４】
さらにまた、第１吸収体の上に第２吸収体を載置しないで、第１吸収体のみであっても、使い捨ておむつカバーを使い捨ておむつとしても使用できる。
【図面の簡単な説明】
【図１】  本発明の使い捨ておむつカバーの展開状態の正面図である。
【図２】  図１の使い捨ておむつカバーの使用状態の正面図である。
【図３】  使い捨ておむつカバーであり、（ａ）は図１のＸ−Ｘ線に相当する断面図、（ｂ）は図１のＹ−Ｙ線に相当する断面図である。
【図４】  使い捨ておむつカバーの分解斜視図である。
【図５】  （ａ）〜（ｃ）は、それぞれ変形例の図１のＸ−Ｘ線に相当する断面図である。
【符号の説明】
１      使い捨ておむつカバー
２      おむつカバー本体
３      第１吸収体
３ａ    トップシート
３ｂ    バックシート
３ｃ    吸収性コア
４      立ち上がりフラップ
４ａ    基端部
４ｂ    自由端部
８，９  弾性部材
１０    第２吸収体
【図１】
0004527305.tif 000002
【図２】
0004527305.tif 000003
【図３】
0004527305.tif 000004
【図４】
0004527305.tif 000005
【図５】
0004527305.tif 000006